(57)【要約】【課題】発光素子が複数設けられている場合に、複数の発光素子の各々から出射されて封止材により拡散される光のばらつきが大きくなるのを抑制することが可能な照明装置を提供する。【解決手段】このＬＥＤ電球（照明装置）１００は、ＬＥＤ４１と、ＬＥＤ４１が複数実装された基板５と、ＬＥＤ４１を所定の数毎に囲むように設けられた壁部材４２と、壁部材４２によって囲まれた空間内に充填された封止材４３とを備える。【選択図】図３
2014007145.tif 000002
【特許請求の範囲】
【請求項１】
発光素子と、
前記発光素子が複数実装された基板と、
前記発光素子を所定の数毎に囲むように設けられた壁部材と、
前記壁部材によって囲まれた空間内に充填された封止材とを備える、照明装置。
【請求項２】
前記封止材は、前記壁部材によって囲まれた空間内で凸状に盛り上がるように形成されている、請求項１に記載の照明装置。
【請求項３】
前記壁部材の前記基板の表面に対する高さは、前記発光素子の前記基板の表面に対する高さよりも高い、請求項１に記載の照明装置。
【請求項４】
前記壁部材の内側の表面が傾斜するように形成されている、請求項１に記載の照明装置。
【請求項５】
前記封止材は、蛍光材を含む、請求項１に記載の照明装置。
【請求項６】
前記封止材は、拡散材を含む、請求項１に記載の照明装置。
【請求項７】
複数の前記壁部材は、前記基板の表面にマトリクス状に配置されている、請求項１に記載の照明装置。
【請求項８】
複数の前記壁部材は、互いに近接して配置されている、請求項７に記載の照明装置。
【請求項９】
複数の前記壁部材は、前記基板の表面にマトリクス状に配置されており、
前記壁部材によって周囲を囲まれた前記所定の数の発光素子は、複数の前記壁部材からなるマトリクスの行方向または列方向の一方からなる第１方向に沿って互いに電気的に直列に接続されているとともに、前記マトリクスの行方向または列方向の他方からなる第２方向に沿って互いに電気的に並列に接続されている、請求項１に記載の照明装置。
【請求項１０】
前記基板の表面を覆うように設けられた半球状のレンズ部材と、
前記基板の表面に配置され、前記発光素子からの光を前記レンズ部材側に反射させる反射シートとをさらに備える、請求項１に記載の照明装置。
【請求項１１】
複数の前記壁部材は、それぞれ、前記発光素子の周囲を複数個ずつ囲むように構成されているとともに、複数の前記壁部材のうちの少なくとも１個は、他の前記壁部材とは異なる個数の発光素子の周囲を囲むように構成されている、請求項１に記載の照明装置。
【請求項１２】
発光素子と、
前記発光素子が複数実装された基板と、
前記発光素子を所定の数毎に囲むように設けられた壁部材とを備え、
前記基板の中央部近傍に配置された前記壁部材によって周囲を囲まれた前記発光素子の個数よりも、前記基板の中央部近傍よりも外側に配置された前記壁部材によって周囲を囲まれた前記発光素子の個数の方が多くなるように構成されている、照明装置。
【請求項１３】
前記壁部材によって周囲を囲まれた前記発光素子の個数は、前記基板の表面の中央部近傍から外側に向かうにしたがって多くなるように構成されている、請求項１２に記載の照明装置。
【請求項１４】
複数の前記壁部材は、前記基板の中央部近傍に設けられた第１領域と、前記第１領域の外側に設けられた第２領域とにマトリクス状に配置されている、請求項１２に記載の照明装置。
【請求項１５】
前記壁部材に囲まれた空間内には、封止材が充填されており、
前記基板の表面を覆うように設けられた半球状のレンズ部材をさらに備え、
前記複数の壁部材は、前記第１領域と前記第２領域とを含む長方形からなる矩形状領域にマトリクス状に配置されており、
前記第１領域は、前記矩形状領域の長辺方向に沿って延びるように設けられているとともに、前記第２領域は、前記矩形状領域の短辺方向の両側から前記第１領域を挟み込むように、前記長辺方向に沿って延びるように設けられており、
前記第１領域の前記長辺方向の端部における前記短辺方向の中央部と、前記レンズ部材との間の前記長辺方向の距離は、前記第２領域の前記短辺方向の端部における前記長辺方向の中央部と、前記レンズ部材との間の前記短辺方向の距離よりも短くなるように構成されている、請求項１４に記載の照明装置。
【請求項１６】
前記第１領域および前記第２領域は、前記基板の中心点を通り、前記矩形状領域の長辺方向に延びる中心線に対して線対称になるように配置されている、請求項１５に記載の照明装置。
【請求項１７】
前記基板の表面には、前記発光素子に電力を供給する配線パターンが設けられ、
前記配線パターンは、前記矩形状領域の内側から外側に向けて延びるように構成されている、請求項１５に記載の照明装置。
【請求項１８】
前記基板は、前記矩形状領域の前記短辺方向の外側の第１部分と前記矩形状領域の前記長辺方向の外側の第２部分とを含み、
前記第２部分は、前記第１部分よりも広い面積を有し、
前記配線パターンは、前記矩形状領域の内側から前記第２部分に向けて延びるように構成されている、請求項１７に記載の照明装置。
【請求項１９】
前記基板の前記壁部材に対応する部分の裏面に接触するように設けられる放熱部材をさらに備える、請求項１２に記載の照明装置。
【請求項２０】
複数の前記壁部材は、前記基板の中央部近傍に設けられた第１領域と、前記第１領域の外側に設けられた第２領域とを含む長方形からなる矩形状領域にマトリクス状に配置されており、
前記壁部材によって周囲を囲まれた前記所定の数の発光素子は、前記矩形状領域の長辺方向に沿って互いに電気的に並列に接続されているとともに、前記矩形状領域の短辺方向に沿って互いに電気的に直列に接続されている、請求項１２に記載の照明装置。
【発明の詳細な説明】
【技術分野】
【０００１】
この発明は、照明装置に関し、特に、発光素子を囲むように設けられた壁部材と、壁部材によって囲まれた空間内に充填された封止材とを備えた照明装置に関する。
【背景技術】
【０００２】
従来、発光素子を囲むように設けられた壁部材と、壁部材によって囲まれた空間内に充填された封止材とを備えた照明装置が知られている（たとえば、特許文献１参照）。
【０００３】
上記特許文献１には、１個のＬＥＤ素子（発光素子）が表面に実装された配線基板と、１個のＬＥＤ素子を取り囲むように環状に設けられた第１の樹脂体（壁部材）と、第１の樹脂体の内側に充填された第２の樹脂体（封止材）とを備えたＬＥＤ装置（照明装置）が開示されている。第１の樹脂体は、配線基板の表面から突出するように設けられることにより、第１の樹脂体の内側に充填された第２の樹脂体が第１の樹脂体の外側にはみ出すのを塞き止めるように構成されている。また、第２の樹脂体は、第１の樹脂体の内側の領域で配線基板の表面に対して凸状に盛り上がるように形成されている。この特許文献１によるＬＥＤ装置では、配線基板の表面上に、矩形状の配線基板の一辺の長さの半分よりも大きい直径の１個の大きな環状の第１の樹脂体が設けられているので、配線基板の表面にＬＥＤ素子が複数実装される場合にも、複数のＬＥＤ素子の全てが１個の大きな第１の樹脂体に取り囲まれると考えられる。
【先行技術文献】
【特許文献】
【０００４】
【特許文献１】特開２００６−３２４５８９号公報
【発明の概要】
【発明が解決しようとする課題】
【０００５】
しかしながら、上記特許文献１に開示されたＬＥＤ装置では、配線基板の表面にＬＥＤ素子が複数実装される場合に、複数のＬＥＤ素子の全てが１個の大きな第１の樹脂体に取り囲まれると考えられるため、第１の樹脂体の内側への第２の樹脂体の充填量が増加することによって、第２の樹脂体の中央部に位置する頂部の配線基板の表面に対する高さが大きくなると考えられる。この場合には、第２の樹脂体の頂部と、第２の樹脂体の環状の第１の樹脂体近傍の部分との配線基板の表面に対する高さの差が大きくなることによって、１個の第２の樹脂体（封止材）内における光の拡散度合いのばらつきが大きくなるという不都合があると考えられる。このため、複数の発光素子の各々から出射されて第２の樹脂体（封止材）により拡散される光のばらつきが大きくなるという問題点があると考えられる。
【０００６】
この発明は、上記のような課題を解決するためになされたものであり、この発明の１つの目的は、発光素子が複数設けられている場合に、複数の発光素子の各々から出射されて封止材により拡散される光のばらつきが大きくなるのを抑制することが可能な照明装置を提供することである。
【課題を解決するための手段】
【０００７】
上記目的を達成するために、この発明の第１の局面による照明装置は、発光素子と、発光素子が複数実装された基板と、発光素子を所定の数毎に囲むように設けられた壁部材と、壁部材によって囲まれた空間内に充填された封止材とを備える。
【０００８】
この発明の一の局面による照明装置では、上記のように、複数の発光素子の周囲を所定の数毎に取り囲むように壁部材を設けることによって、複数の発光素子の全てが１個の壁部材に取り囲まれる場合に比べて、１個の壁部材の内側への封止材の充填量を少なくすることができる。これにより、封止材の頂部と、封止材の壁部材近傍の部分との基板の表面に対する高さの差を小さくすることができるので、１個の封止材内における光の拡散度合いのばらつきを小さくすることができる。その結果、複数の発光素子の各々から出射されて封止材により拡散される光のばらつきが大きくなるのを抑制することができる。
【０００９】
上記第１の局面による照明装置において、好ましくは、封止材は、壁部材によって囲まれた空間内で凸状に盛り上がるように形成されている。このように構成すれば、封止材が壁部材に囲まれた空間内で凹状に窪むように形成されている場合と異なり、壁部材に囲まれた空間内で凸状に盛り上がるように形成された封止材によって、発光素子からの光を効果的に拡散させることができる。
【００１０】
上記第１の局面による照明装置において、好ましくは、壁部材の基板の表面に対する高さは、発光素子の基板の表面に対する高さよりも高い。このように構成すれば、壁部材の基板の表面に対する高さが発光素子の基板の表面に対する高さよりも低い場合と異なり、発光素子からの光が壁部材の外側に漏れるのを抑制することができる。
【００１１】
上記第１の局面による照明装置において、好ましくは、壁部材の内側の表面が傾斜するように形成されている。このように構成すれば、壁部材の内側（発光素子側）の傾斜している表面によって、発光素子からの光を効果的に反射させることができる。
【００１２】
上記第１の局面による照明装置において、好ましくは、封止材は、蛍光材を含む。このように構成すれば、容易に、封止材を介して蛍光を発生させることができる。
【００１３】
上記第１の局面による照明装置において、好ましくは、封止材は、拡散材を含む。このように構成すれば、容易に、封止材を介して発光素子からの光を拡散させることができる。
【００１４】
上記第１の局面による照明装置において、好ましくは、複数の壁部材は、基板の表面にマトリクス状に配置されている。このように構成すれば、複数の壁部材からなるマトリクスの行方向または列方向に沿って、容易に、複数の壁部材を互いに近接させた状態で基板の表面に配置することができる。
【００１５】
この場合、好ましくは、複数の壁部材は、互いに近接して配置されている。このように構成すれば、複数の壁部材が互いに離間して配置されている場合に比べて、各壁部材の間の発光素子が実装されていない領域が小さくなるので、照明装置から発せられる光の光量が、各壁部材の間の発光素子が実装されていない領域に対応する部分において局所的に減少するのを抑制することができる。
【００１６】
上記第１の局面による照明装置において、好ましくは、複数の壁部材は、基板の表面にマトリクス状に配置されており、壁部材によって周囲を囲まれた所定の数の発光素子は、複数の壁部材からなるマトリクスの行方向または列方向の一方からなる第１方向に沿って互いに電気的に直列に接続されているとともに、マトリクスの行方向または列方向の他方からなる第２方向に沿って互いに電気的に並列に接続されている。このように構成すれば、複数の壁部材の各々に周囲を囲まれた所定の数の発光素子を、複数の壁部材からなるマトリクスの行方向および列方向（第１方向および第２方向）に沿って容易に電気的に接続することができる。
【００１７】
上記第１の局面による照明装置において、好ましくは、基板の表面を覆うように設けられた半球状のレンズ部材と、基板の表面に配置され、発光素子からの光をレンズ部材側に反射させる反射シートとをさらに備える。このように構成すれば、発光素子からの光をレンズ部材側に反射させる反射シートによって、レンズ部材に到達する光の光量をより大きくすることができるので、レンズ部材を介して発せられる光の光量をより大きくすることができる。
【００１８】
上記第１の局面による照明装置において、好ましくは、複数の壁部材は、それぞれ、発光素子の周囲を複数個ずつ囲むように構成されているとともに、複数の壁部材のうちの少なくとも１個は、他の壁部材とは異なる個数の発光素子の周囲を囲むように構成されている。このように構成すれば、複数の発光素子を１個ずつ取り囲むように壁部材を発光素子と同数（複数）設ける場合に比べて、壁部材の個数を少なくすることができるので、照明装置の構造の簡略化を図ることができる。
【００１９】
この発明の第２の局面による照明装置は、発光素子と、発光素子が複数実装された基板と、発光素子を所定の数毎に囲むように設けられた壁部材とを備え、基板の中央部近傍に配置された壁部材によって周囲を囲まれた発光素子の個数よりも、基板の中央部近傍よりも外側に配置された壁部材によって周囲を囲まれた発光素子の個数の方が多くなるように構成されている。
【００２０】
この発明の第２の局面による照明装置では、上記のように構成することによって、比較的熱が溜まりやすい基板の中央部近傍に配置される発光素子の個数よりも、比較的熱が放熱されやすい基板の中央部近傍よりも外側に配置される発光素子の個数の方が多くなるので、複数の発光素子の全てが基板の中央部近傍に配置されている場合に比べて、放熱性をより向上させることができる。また、複数の発光素子の周囲を所定の数毎に囲むように複数の壁部材を設けることによって、複数の発光素子が複数の壁部材を介して所定の数毎に離間して配置されるので、複数の発光素子の全てが１つの壁部材に囲まれた領域に密集して配置されている場合に比べて、複数の発光素子から発生する熱を溜まりにくくすることができる。これによっても、放熱性を向上させることができる。
【００２１】
上記第２の局面による照明装置において、好ましくは、壁部材によって周囲を囲まれた発光素子の個数は、基板の表面の中央部近傍から外側に向かうにしたがって多くなるように構成されている。このように構成すれば、容易に、比較的熱が溜まりやすい基板の中央部近傍に配置される発光素子の個数よりも、比較的熱が放熱されやすい基板の中央部近傍よりも外側に配置される発光素子の個数の方を多くすることができる。
【００２２】
上記第２の局面による照明装置において、好ましくは、複数の壁部材は、基板の中央部近傍に設けられた第１領域と、第１領域の外側に設けられた第２領域とにマトリクス状に配置されている。このように構成すれば、基板の表面に、比較的少ない個数の発光素子が配置される第１領域と、比較的多い個数の発光素子が配置される第２領域とを、複数の壁部材からなるマトリクスの行方向または列方向に沿って容易に設けることができる。
【００２３】
この場合、好ましくは、壁部材に囲まれた空間内には、封止材が充填されており、基板の表面を覆うように設けられた半球状のレンズ部材をさらに備え、複数の壁部材は、第１領域と第２領域とを含む長方形からなる矩形状領域にマトリクス状に配置されており、第１領域は、矩形状領域の長辺方向に沿って延びるように設けられているとともに、第２領域は、矩形状領域の短辺方向の両側から第１領域を挟み込むように、長辺方向に沿って延びるように設けられており、第１領域の長辺方向の端部における短辺方向の中央部と、レンズ部材との間の長辺方向の距離は、第２領域の短辺方向の端部における長辺方向の中央部と、レンズ部材との間の短辺方向の距離よりも短くなるように構成されている。このように構成すれば、第２領域に比べて少ない個数の発光素子が配置される第１領域が、レンズ部材により近い位置に配置されるとともに、第１領域に比べて多い個数の発光素子が配置される第２領域が、レンズ部材からより離れた位置に配置される。これにより、第１領域に配置された発光素子からレンズ部材を介して発せられる光量と、第２領域に配置された発光素子からレンズ部材を介して発せられる光量との差を少なくすることができるので、レンズ部材から発せられる全体の光量の均一化を図ることができる。
【００２４】
上記封止材が充填される構成において、好ましくは、第１領域および第２領域は、基板の中心点を通り、矩形状領域の長辺方向に延びる中心線に対して線対称になるように配置されている。このように構成すれば、第１領域および第２領域を偏ることなくバランスよく配置することができるので、複数の発光素子から発生する熱が局所的に溜まるのを抑制することができる。
【００２５】
上記封止材が充填される構成において、好ましくは、基板の表面には、発光素子に電力を供給する配線パターンが設けられ、配線パターンは、矩形状領域の内側から外側に向けて延びるように構成されている。このように構成すれば、矩形状領域の壁部材に囲まれた発光素子近傍に、配線パターンから発生された熱が溜まるのを抑制して放熱性を向上させることができる。
【００２６】
上記基板の表面に配線パターンが設けられる構成において、好ましくは、基板は、矩形状領域の短辺方向の外側の第１部分と矩形状領域の長辺方向の外側の第２部分とを含み、第２部分は、第１部分よりも広い面積を有し、配線パターンは、矩形状領域の内側から第２部分に向けて延びるように構成されている。このように構成すれば、配線パターンから発生された熱を第２部分のスペースを用いて効率的に放熱させることができる。
【００２７】
上記第２の局面による照明装置において、好ましくは、基板の壁部材に対応する部分の裏面に接触するように設けられる放熱部材をさらに備える。このように構成すれば、このように構成すれば、基板の壁部材に対応する部分の裏面に接触する放熱部材によって、放熱性をより向上させることができる。
【００２８】
上記第２の局面による照明装置において、好ましくは、複数の壁部材は、基板の中央部近傍に設けられた第１領域と、第１領域の外側に設けられた第２領域とを含む長方形からなる矩形状領域にマトリクス状に配置されており、壁部材によって周囲を囲まれた所定の数の発光素子は、矩形状領域の長辺方向に沿って互いに電気的に並列に接続されているとともに、矩形状領域の短辺方向に沿って互いに電気的に直列に接続されている。このように構成すれば、マトリクス状に配置された複数の壁部材に周囲を囲まれた所定の数の発光素子を、長方形からなる矩形状領域の長辺の延びる方向および短辺の延びる方向（長辺方向および短辺方向）に沿って容易に電気的に接続することができる。
【発明の効果】
【００２９】
本発明によれば、上記のように、発光素子が複数設けられている場合に、複数の発光素子の各々から出射されて封止材により拡散される光のばらつきが大きくなるのを抑制することができる。
【図面の簡単な説明】
【００３０】
【図１】本発明の第１実施形態によるＬＥＤ電球の全体構成を示した斜視図である。
【図２】図１に示したＬＥＤ電球の分解斜視図である。
【図３】本発明の第１実施形態によるＬＥＤ電球の基板の平面図である。
【図４】図３の２００−２００線に沿った模式的な断面図である。
【図５】本発明の第１実施形態の変形例による基板の平面図である。
【図６】本発明の第２実施形態によるＬＥＤ電球の全体構成を示した斜視図である。
【図７】図６に示したＬＥＤ電球の分解斜視図である。
【図８】本発明の第２実施形態によるＬＥＤ電球の基板の平面図である。
【図９】図８の３００−３００線に沿った模式的な断面図である。
【発明を実施するための形態】
【００３１】
以下、本発明の実施形態を図面に基づいて説明する。
【００３２】
（第１実施形態）
図１〜図４を参照して、本発明の第１実施形態によるＬＥＤ電球（電球型照明装置）１００の構成について説明する。なお、ＬＥＤ電球１００は、本発明の「照明装置」の一例である。
【００３３】
図１および図２に示すように、ＬＥＤ電球１００は、本体部１と、本体部１に取り付けられた半球状のカバーレンズ２とを備えている。このカバーレンズ２は、本体部１とカバーレンズ２との間に配置された後述する基板５（図２参照）を円周状に取り囲むとともに基板５の表面（矢印Ｚ１方向側の面）を覆うように設けられている。なお、カバーレンズ２は、本発明の「レンズ部材」の一例である。
【００３４】
図２に示すように、本体部１は、内部に電源基板３が収容されたケース部１１と、ケース部１１のカバーレンズ２とは反対側（矢印Ｚ２方向側）の端部に設けられ、ＬＥＤ電球１００をソケット（図示せず）に取り付けるための金属製の取付部１２とを含む。なお、取付部１２の外周面には、ソケット（図示せず）の内周面に形成された雌ネジ（図示せず）に螺合する雄ネジ部１２ａが設けられている。
【００３５】
また、図２に示すように、本体部１とカバーレンズ２との間には、表面（矢印Ｚ１方向側の面）に複数（１６個）の光源４が実装された基板５と、基板５の裏面側（矢印Ｚ２方向側）に配置された放熱プレート６と、基板５の表面に配置され、光源４からの光をカバーレンズ２側に反射する反射シート７とが設けられている。基板５および放熱プレート６は、共に、アルミニウムなどの金属により構成されている。また、反射シート７は、ＰＥＴ（ポリエチレンテレフタラート）などの樹脂により構成されている。なお、反射シート７には、基板５の表面にマトリクス状に配置された１６個の光源４（詳細は、後述する）を露出させるための開口部７ａが設けられている。
【００３６】
図２および図３に示すように、基板５は、平面視において（矢印Ｚ１方向側から見て）左右方向（Ｘ方向）に長い略長方形形状を有する。また、放熱プレート６は、基板５の対角線よりも長い直径を有する略真円形状を有する。また、反射シート７は、基板５の対角線と略同じ長さの直径を有する略真円形状を有する。ここで、第１実施形態では、基板５の表面（矢印Ｚ１方向側の面）の中央部に設けられた正方形形状の領域Ｒに、１６個の光源４が、４行４列のマトリクスを構成するように互いに近接して配置されている。なお、領域Ｒは、本発明の「矩形状領域」の一例である。
【００３７】
図３および図４に示すように、基板５の表面（矢印Ｚ１方向側の面）に実装された１６個の光源４は、それぞれ、ＬＥＤ４１と、ＬＥＤ４１の周囲を円周状に取り囲むように設けられた樹脂製の壁部材４２と、壁部材４２に囲まれた空間内に充填された樹脂製の封止材４３（図４参照）とを含む。なお、ＬＥＤ４１は、本発明の「発光素子」の一例である。また、図３では、説明の便宜上、封止材４３の図示を省略している。
【００３８】
図４に示すように、壁部材４２は、基板５の表面（矢印Ｚ１方向側の面）から突出するように形成されることにより、壁部材４２の内側に充填された封止材４３が壁部材４２の外側にはみ出すのを塞き止めるように構成されている。また、基板５の壁部材４２に対応する部分の裏面（矢印Ｚ２方向側の面）に接触するように、放熱プレート６が配置されている。ここで、壁部材４２のＬＥＤ４１側の表面は、直線状に傾斜する傾斜面４２ａを含む。これにより、傾斜面４２ａによって、ＬＥＤ４１から横方向（Ｙ方向）に出射された光が上方向（矢印Ｚ１方向）に反射される。なお、基板５の表面に対する壁部材４２の突出高さ（Ｚ方向の高さ）Ｈ１は、基板５の表面に対するＬＥＤ４１の突出高さＨ２よりも大きい。
【００３９】
また、図４に示すように、封止材４３は、壁部材４２に囲まれた空間内で凸状に盛り上がるように形成されている。ここで、封止材４３は、蛍光材および拡散材を含む。これにより、封止材４３を介して蛍光が発生するとともに、封止材４３を介してＬＥＤ４１からの光が拡散される。なお、封止材４３は、基板５の表面に対する突出高さが壁部材４２よりも高い頂部４３ａを含む。すなわち、基板５の表面に対する壁部材４２の突出高さＨ１と、ＬＥＤ４２の突出高さＨ２と、封止材４３の頂部４３ａの突出高さＨ３との間の関係は、Ｈ２＜Ｈ１＜Ｈ３である。
【００４０】
図３に示すように、壁部材４２は、基板５の中央部に設けられた正方形形状の領域Ｒにおいて４行４列のマトリクスを構成するように複数（１６個）設けられている。これら１６個の壁部材４２は、互いに近接して配置されている。また、１６個の壁部材４２は、それぞれ、基板５の正方形形状の領域Ｒに実装された複数（６０個）のＬＥＤ４１を所定の数（３個または４個）毎に複数個ずつ取り囲むように構成されている。具体的には、１６個の壁部材４２からなる４行４列のマトリクスの１行目〜３行目に対応する領域Ｒ１に配置された１２個の壁部材４２は、それぞれ、４個のＬＥＤ４１を取り囲むように構成されている。また、１６個の壁部材４２からなる４行４列のマトリクスの４行目に対応する領域Ｒ２に配置された４個の壁部材４２は、それぞれ、３個のＬＥＤ４１を取り囲むように構成されている。これにより、第１実施形態では、１６個の壁部材４２のうちの一部の壁部材４２（領域Ｒ２に配置された４個の壁部材４２）に取り囲まれたＬＥＤ４１の個数（３×４＝１２個）が、他の壁部材４２（領域Ｒ１に配置された１２個の壁部材４２）に取り囲まれたＬＥＤ４１の個数（４×１２＝４８個）と異なるように構成されている。なお、各壁部材４２に取り囲まれた３個または４個のＬＥＤ４１は、壁部材４２の内側の領域に設けられる配線（図示せず）を介して互いに電気的に直列に接続されている。
【００４１】
また、図２および図３に示すように、基板５の表面（矢印Ｚ１方向側の面）には、銅などの金属からなる複数の配線パターン５１が形成されている。これら複数の配線パターン５１は、図３に示すように、４行４列のマトリクス状に配置された１６個の光源４を行方向（Ｘ方向：左右方向）に沿って並列接続するとともに、列方向（Ｙ方向：上下方向）に沿って直列接続するために設けられている。すなわち、各光源４の各壁部材４２に取り囲まれた３個または４個のＬＥＤ４１は、１６個の壁部材４２からなる４行４列のマトリクスの行方向（Ｘ方向）に沿って互いに電気的に並列に接続されているとともに、列方向（Ｙ方向）に沿って互いに電気的に直列に接続されている。なお、Ｘ方向およびＹ方向は、それぞれ、本発明の「第１方向」および「第２方向」の一例である。
【００４２】
上記第１実施形態では、上記のように、複数（６０個）のＬＥＤ４１を所定の数（３個または４個）毎に取り囲むように複数（１６個）の壁部材４２を設けることによって、６０個のＬＥＤ４１の全てが１個の壁部材４２に取り囲まれる場合に比べて、１個の壁部材４２の内側の内側への封止材４３の充填量を少なくすることができる。これにより、封止材４３の頂部４３ａと、封止材４３の壁部材４２近傍の部分との基板５の表面（矢印Ｚ１方向側の面）に対する高さの差を小さくすることができるので、１個の封止材４３内における光の拡散度合いのばらつきを小さくすることができる。その結果、６０個のＬＥＤ４１の各々から出射されて封止材４３により拡散される光のばらつきが大きくなるのを抑制することができる。また、６０個のＬＥＤ４１を３個または４個毎に取り囲むように１６個の壁部材４２を設けることによって、６０個のＬＥＤ４１の全てが１個の壁部材４２に取り囲まれる場合に比べて、１個の壁部材４２と、その１個の壁部材４２の内側に配置されたＬＥＤ４１との間の距離を短くすることができるので、ＬＥＤ４１から出射されて壁部材４２により反射される光の光量を大きくすることができる。これにより、ＬＥＤ電球１００から発せられる光の光量を大きくすることができる。
【００４３】
また、上記第１実施形態では、上記のように、封止材４３を、１６個の壁部材４２の各々に囲まれた空間内で凸状に盛り上がるように形成する。これにより、封止材４３が壁部材４２に囲まれた空間内で凹状に窪むように形成されている場合と異なり、壁部材４２に囲まれた空間内で凸状に盛り上がるように形成された封止材４３によって、ＬＥＤ４１からの光を効果的に拡散させることができる。
【００４４】
また、上記第１実施形態では、上記のように、壁部材４２の基板５の表面（矢印Ｚ１方向側の面）に対する突出高さＨ１を、ＬＥＤ４１の基板５の表面に対する突出高さＨ２よりも高くする。これにより、壁部材４２の基板５の表面に対する突出高さＨ１がＬＥＤ４１の基板の表面に対する突出高さＨ２よりも低い場合と異なり、ＬＥＤ４１からの光が壁部材４２の外側に漏れるのを抑制することができる。
【００４５】
また、上記第１実施形態では、上記のように、壁部材４２のＬＥＤ４１側の表面に、直線状に傾斜する傾斜面４２ａを設ける。これにより、壁部材４２のＬＥＤ４１側の直線状に傾斜する傾斜面４２ａによって、ＬＥＤ４１からの光を効果的に反射させることができる。
【００４６】
また、上記第１実施形態では、上記のように、封止材４３を、蛍光材および拡散材を含むように構成する。これにより、容易に、封止材４３を介して蛍光を発生させることができるとともに、封止材４３を介してＬＥＤ４１からの光を拡散させることができる。
【００４７】
また、上記第１実施形態では、上記のように、１６個の壁部材４２を、基板５の表面（矢印Ｚ１方向側の面）に設けられた正方形形状の領域Ｒに４行４列のマトリクス状に配置する。これにより、１６個の壁部材４２からなる４行４列のマトリクスの行方向（Ｘ方向）または列方向（Ｙ方向）に沿って、容易に、１６個の壁部材４２を互いに近接させた状態で基板５の表面に配置することができる。
【００４８】
また、上記第１実施形態では、上記のように、１６個の壁部材４２を、正方形形状の領域Ｒにおいて４行４列のマトリクス状に互いに近接して配置する。これにより、４行４列のマトリクス状に配置された１６個の壁部材４２が互いに離間して配置される場合に比べて、各壁部材４２の間のＬＥＤ４１が実装されていない領域が小さくなるので、ＬＥＤ電球１００から発せられる光の光量が、各壁部材４２の間のＬＥＤ４１が実装されていない領域に対応する部分において局所的に減少するのを抑制することができる。
【００４９】
また、上記第１実施形態では、上記のように、１６個の壁部材４２の各々に取り囲まれた３個または４個のＬＥＤ４１を、１６個の壁部材４２からなる４行４列のマトリクスの列方向（Ｙ方向）に沿って互いに電気的に直列に接続するとともに、行方向（Ｘ方向）に沿って互いに電気的に並列に接続する。これにより、１６個の壁部材４２の各々に取り囲まれた３個または４個のＬＥＤ４１を、１６個の壁部材４２からなる４行４列のマトリクスの行方向および列方向に沿って容易に電気的に接続することができる。
【００５０】
また、上記第１実施形態では、上記のように、基板５の表面（矢印Ｚ１方向側の面）に、ＬＥＤ４１からの光をレンズ部材２側に反射させる反射シート７を配置する。これにより、反射シート７によって、レンズ部材２に到達する光の光量をより大きくすることができるので、レンズ部材２を介して発せられる光の光量をより大きくすることができる。
【００５１】
また、上記第１実施形態では、上記のように、１６個の壁部材４２を、それぞれ、ＬＥＤ４１を複数個（３個または４個）ずつ取り囲むように構成するとともに、１６個の壁部材４２のうちの一部の壁部材４２（領域Ｒ２に配置された４個の壁部材４２）に取り囲まれたＬＥＤ４１の個数（３×４＝１２個）を、他の壁部材４２（領域Ｒ１に配置された１２個の壁部材４２）に取り囲まれたＬＥＤ４１の個数（４×１２＝４８個）と異ならせる。これにより、６０個のＬＥＤ４１を１個ずつ取り囲むようにＬＥＤ４１と同数（６０個）の壁部材４２を設ける場合に比べて、壁部材４２の個数を少なくすることができるので、ＬＥＤ電球１００の構造の簡略化を図ることができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記第１実施形態では、本発明を照明装置の一例としてのＬＥＤ電球（電球型照明装置）に適用する例を示したが、本発明はこれに限らない。本発明は、電球型照明装置以外の照明装置（たとえば、天井に設置するシーリングライト）にも適用可能である。また、本発明では、ＬＥＤ以外の発光素子を用いてもよい。
【００５４】
また、上記第１実施形態では、基板の表面に１６個の壁部材を配置する例を示したが、本発明はこれに限らない。本発明では、壁部材の個数を１５個以下にしてもよいし、１７個以上にしてもよい。たとえば、図５に示す変形例のように、基板５ａの表面に２４個の壁部材４２を配置してもよい。
【００５５】
この図５に示す変形例では、左右方向（Ｘ方向）に長い略長円形状を有する基板５ａの表面の長方形形状の領域Ｒ３（後述する領域Ｒ４およびＲ５からなる領域）に、２４個の壁部材４２が、４行６列のマトリクス状に配置されている。なお、領域Ｒ３は、本発明の「矩形状領域」の一例である。
【００５６】
また、図５に示す変形例では、２４個の壁部材４２からなる４行６列のマトリクスの２行目および３行目に対応する領域Ｒ４に、１２個の壁部材４２が配置されている。この領域Ｒ４に配置された１２個の壁部材４２は、それぞれ、５個のＬＥＤ４１を取り囲むように構成されている。また、領域Ｒ４の上下方向（Ｙ方向）の外側で左右方向（Ｘ方向）に延びる２個の領域Ｒ５（上記４行６列のマトリクスの１行目および４行目に対応する領域）には、それぞれ、６個の壁部材４２が配置されている。そして、これら２個の領域Ｒ５に６個ずつ配置された合計１２個の壁部材４２は、それぞれ、６個のＬＥＤ４１を取り囲むように構成されている。
【００５７】
なお、図５に示す変形例では、基板５ａの表面に、複数の配線パターン５１ａが形成されている。そして、これら複数の配線パターン５１ａによって、２４個の壁部材４２の各々に取り囲まれた５個または６個のＬＥＤ４１が、２４個の壁部材４２からなる４行６列のマトリクスの行方向（Ｘ方向）に沿って互いに電気的に並列に接続されているとともに、列方向（Ｙ方向）に沿って互いに電気的に直列に接続されている。
【００５８】
図５に示す変形例では、上記第１実施形態と同様に、複数（５×１２＋６×１２＝１３２個）のＬＥＤ４１を５個または６個毎に取り囲むように壁部材４２が複数（２４個）設けられているので、１３２個のＬＥＤ４１から封止材４３（図５には図示せず）を介して発せられる光の色温度にむらが発生するのを抑制することができる。
【００５９】
また、上記第１実施形態では、ＬＥＤを３個または４個ずつ取り囲むように壁部材を構成する例を示したが、本発明はこれに限らない。本発明では、ＬＥＤを３個または４個以外の複数個ずつ取り囲むように壁部材を構成してもよいし、ＬＥＤを１個ずつ取り囲むように壁部材を構成してもよい。
【００６０】
また、上記第１実施形態では、複数（１６個）の壁部材を基板の表面の正方形形状の領域にマトリクス状に配置する例を示したが、本発明はこれに限らない。本発明では、複数の壁部材を基板の表面の外周部近傍の領域に配置してもよい。また、本発明では、複数の壁部材をマトリクス状に配置せずに円形状に配置してもよい。
【００６１】
また、上記第１実施形態では、マトリクス状に配置された１６個の壁部材の各々に取り囲まれた３個または４個のＬＥＤを、１６個の壁部材からなるマトリクスの列方向に沿って互いに電気的に直列に接続するとともに、行方向に沿って互いに電気的に並列に接続する例を示したが、本発明はこれに限らない。本発明では、各壁部材に取り囲まれた３個または４個のＬＥＤを、１６個の壁部材からなるマトリクスの行方向に沿って互いに電気的に直列に接続するとともに、列方向に沿って互いに電気的に並列に接続してもよい。
【００６２】
（第２実施形態）
以下、本発明の第２実施形態を図面に基づいて説明する。
【００６３】
図６〜図９を参照して、本発明の第２実施形態によるＬＥＤ電球（電球型照明装置）１５０の構成について説明する。なお、ＬＥＤ電球１５０は、本発明の「照明装置」の一例である。
【００６４】
図６および図７に示すように、ＬＥＤ電球１５０は、本体部１０１と、本体部１０１に取り付けられた半球状のカバーレンズ１０２とを備えている。このカバーレンズ１０２は、本体部１０１とカバーレンズ１０２との間に配置された後述する基板１０４（図７参照）を円周状に取り囲むとともに基板１０４の表面（矢印Ｚ１方向側の面）を覆うように設けられている。なお、カバーレンズ１０２は、本発明の「レンズ部材」の一例である。
【００６５】
図７に示すように、本体部１０１は、内部に電源基板（図示せず）などが収容された円筒形状のケース部１１１と、円筒形状のケース部１１１の側面部を取り囲むように設けられた冷却部１１２と、ケース部１１１のカバーレンズ１０２とは反対側（矢印Ｚ２方向側）の端部に設けられ、ＬＥＤ電球１５０をソケット（図示せず）に取り付けるための金属製の取付部１１３とを含む。なお、冷却部１１２には、複数の冷却フィン１１２ａが一体的に設けられており、これら複数の冷却フィン１１２ａがケース部１１１の側面部に対して間隔（空間）を隔てて配置されている。また、取付部１１３の外周面には、ソケット（図示せず）の内周面に形成された雌ネジ（図示せず）に螺合する雄ネジ部１１３ａが設けられている。
【００６６】
また、図７に示すように、本体部１０１とカバーレンズ１０２との間には、表面（矢印Ｚ１方向側の面）に複数（２４個）の光源１０３が実装された基板１０４と、基板１０４の裏面側（矢印Ｚ２方向側）に設けられた放熱プレート１０５とが配置されている。なお、基板１０４および放熱プレート１０５は、共に、アルミニウムなどの金属からなる板状部材により構成されている。また、放熱プレート１０５は、本発明の「放熱部材」の一例である。
【００６７】
図７および図８に示すように、基板１０４は、平面視において（矢印Ｚ１方向側から見て）左右方向（Ｘ方向）に長い略長円形状を有する。また、放熱プレート１０５は、基板１０４の長い方の直径（Ｘ方向の直径）と略同じ直径を有する略真円形状を有する。ここで、第２実施形態では、基板１０４の表面（矢印Ｚ１方向側の面）の中央部近傍に位置する矩形状領域Ｒ６（後述する第１領域Ｒ７および第２領域Ｒ８からなる左右方向に長い長方形形状の領域）に、２４個の光源１０３が４行６列のマトリクス状に配置されている。
【００６８】
図８および図９に示すように、基板１０４の表面（矢印Ｚ１方向側の面）に実装された光源１０３は、ＬＥＤ１３１と、ＬＥＤ１３１の周囲を円周状に取り囲むように設けられた樹脂製の壁部材１３２と、壁部材１３２に取り囲まれた空間内に充填された樹脂製の封止材１３３（図９参照）とを含む。なお、ＬＥＤ１３１は、本発明の「発光素子」の一例である。また、図８では、説明の便宜上、封止材１３３の図示を省略している。
【００６９】
図９に示すように、壁部材１３２は、基板１０４の表面（矢印Ｚ１方向側の面）から突出するように形成されることにより、壁部材１３２の内側に充填された封止材１３３が壁部材１３２の外側にはみ出すのを塞き止めるように構成されている。また、基板１０４の壁部材１３２に対応する部分の裏面（矢印Ｚ２方向側の面）に接触するように、放熱プレート１０５が配置されている。ここで、壁部材１３２のＬＥＤ１３１側の表面は、直線状に傾斜する傾斜面を含む。そして、この壁部材１３２のＬＥＤ１３１側の傾斜面によって、ＬＥＤ１３１から横方向（Ｙ方向）に出射された光が上方向（矢印Ｚ１方向）に反射される。なお、基板１０４の表面に対する壁部材１３２の突出高さ（Ｚ方向の高さ）は、基板１０４の表面に対するＬＥＤ１４１の突出高さよりも大きい。また、封止材１３３は、蛍光材および拡散材を含む。これにより、封止材１３３内で蛍光が発生されるとともに、封止材１３３内でＬＥＤ１４１からの光が拡散される。
【００７０】
図８に示すように、壁部材１３２は、基板１０４の矩形状領域Ｒ６に実装された複数（１３２個）のＬＥＤ１３１を所定の数（５個または６個）毎に取り囲むように構成されている。また、壁部材１３２は、基板１０４の矩形状領域Ｒ６内において４行６列のマトリクスを構成するように複数（２４個）隣接して配置されている。なお、５個のＬＥＤ１３１を取り囲む壁部材１３２の個数と、６個のＬＥＤ１３１を取り囲む壁部材１３２の個数とは、互いに同じ（１２個）である。また、各壁部材１３２に取り囲まれた５個または６個のＬＥＤ１３１は、壁部材１３２の内側の領域に設けられる配線（図示せず）を介して互いに電気的に直列に接続されている。
【００７１】
ここで、ＬＥＤ１３１を５個ずつ取り囲む１２個の壁部材１３２は、矩形状領域Ｒ６の上下方向（Ｙ方向）の中央部近傍において左右方向（Ｘ方向）に延びる第１領域Ｒ７に配置されている。その一方、ＬＥＤ１３１を６個ずつ取り囲む１２個の壁部材１３２は、上記第１領域Ｒ７を上下方向の外側から挟み込むとともに左右方向に延びる２個の第２領域Ｒ８にそれぞれ６個ずつ配置されている。
【００７２】
すなわち、図８に示すように、２４個の光源１０３（壁部材１３２）からなる４行６列のマトリクスの２行目および３行目に対応する領域（第１領域Ｒ７）に配置された１２個の壁部材１３２は、それぞれ、５個のＬＥＤ１３１を取り囲むように構成されている。その一方、上記４行６列のマトリクスの１行目および４行目に対応する２個の領域（第２領域Ｒ８）に６個ずつ配置された合計１２個の壁部材１３２は、それぞれ、６個のＬＥＤ１３１を取り囲むように構成されている。これにより、第２実施形態では、基板１０４の中央部近傍の第１領域Ｒ７において壁部材１３２に取り囲まれたＬＥＤ１３１の個数（１２×５＝６０個）よりも、第１領域Ｒ７の外側の第２領域Ｒ８において壁部材１３２に取り囲まれたＬＥＤ１３１の個数（１２×６＝７２個）の方が多くなるように構成されている。また、壁部材１３２に周囲を囲まれたＬＥＤ１３１の個数は、基板１０４の中央部近傍の第１領域Ｒ７から、基板１０４の中央部近傍よりも外側の第２領域Ｒ８に向かうにしたがって多くなるように構成されている。
【００７３】
なお、第２実施形態では、第１領域Ｒ７の左右方向（Ｘ方向）の端部における上下方向（Ｙ方向）の中央部とカバーレンズ１０２との間の左右方向の距離Ｄ３は、第２領域Ｒ８の上下方向の端部における左右方向の中央部とカバーレンズ１０２との間の上下方向の距離Ｄ４よりも短くなるように構成されている。また、２４個の壁部材１３２に５個または６個ずつ取り囲まれた合計１３２個のＬＥＤ１３１は、基板１０４の中心点Ｏを通って左右方向（Ｘ方向）に延びる中心線Ｌに対して線対称になるように配置されている。また、第１領域Ｒ７および第２領域Ｒ８は、基板１０４の中心点Ｏを通り、矩形状領域Ｒ６の長辺方向に延びる中心線Ｌに対して線対称になるように配置されている。
【００７４】
また、基板１０４は、矩形状領域Ｒ６の短辺方向の外側の第１部分１０４ａと矩形状領域Ｒ６の長辺方向の外側の第２部分１０４ｂとを含み、第２部分１０４ｂは、第１部分１０４ａよりも広い面積を有している。詳細には、第１部分１０４ａは、基板１０４の矩形状領域Ｒ６の短辺方向の長さと略同じ長さを有している。また、第２部分１０４ｂは、基板１０４の矩形状領域Ｒ６の長辺方向の長さと略同じ長さを有している。
【００７５】
また、図７および図８に示すように、基板１０４の表面（矢印Ｚ１方向側の面）には、銅などの金属からなる複数の配線パターン１４１が形成されている。これら複数の配線パターン１４１は、図８に示すように、４行６列のマトリクス状に配置された２４個の光源１０３を行方向（Ｘ方向：左右方向）に沿って並列接続するとともに、列方向（Ｙ方向：上下方向）に沿って直列接続するために設けられている。すなわち、２４個の光源１０３の各壁部材１３２に取り囲まれた５個または６個のＬＥＤ１３１は、長方形からなる矩形状領域Ｒ６の長辺の延びる長辺方向（Ｘ方向）に沿って互いに電気的に並列に接続されているとともに、矩形状領域Ｒ６の短辺の延びる短辺方向（Ｙ方向）に沿って互いに電気的に直列に接続されている。また、基板１０４の表面には、ＬＥＤ１３１に電力を供給する配線パターン１４１が設けられ、配線パターン１４１は、矩形状領域Ｒ６の内側（中心点Ｏ）から外側に向けて延びるように構成されている。配線パターン１４１は、矩形状領域Ｒ６の内側から第２部分１０４ｂに向けて延びるように構成されている。
【００７６】
第２実施形態では、上記のように、基板１０４の表面（矢印Ｚ１方向側の面）の中央部近傍の第１領域Ｒ７において壁部材１３２に取り囲まれたＬＥＤ１３１の個数（１２×５＝６０個：図８参照）よりも、第１領域Ｒ７の上下方向（Ｙ方向）の外側の第２領域Ｒ８において壁部材１３２に取り囲まれたＬＥＤ１３１の個数（１２×６＝７２個：図８参照）の方を多くする。これにより、熱が溜まりやすい基板１０４の中央部近傍の第１領域Ｒ７に配置されるＬＥＤ１３１の個数よりも、第１領域Ｒ７の外側の熱が放熱されやすい第２領域Ｒ８に配置されるＬＥＤ１３１の個数の方が多くなるので、複数（１３２個）のＬＥＤ１３１の全てが基板１０４の中央部近傍の第１領域Ｒ７に配置されている場合に比べて、放熱性をより向上させることができる。また、１３２個のＬＥＤ１３１を所定の数（５個または６個）毎に取り囲むように壁部材１３２を複数（２４個）設けることによって、１３２個のＬＥＤ１３１が２４個の壁部材１３２を介して５個または６個毎に離間して配置されるので、１３２個のＬＥＤ１３１の全てが１つの壁部材１３２に取り囲まれた領域に密集して配置されている場合に比べて、１３２個のＬＥＤ１３１から発生する熱を溜まりにくくすることができる。これによっても、放熱性を向上させることができる。
【００７７】
また、第２実施形態では、上記のように、２４個の壁部材１３２を、基板１０４の中央部近傍に設けられた第１領域Ｒ７と、第１領域Ｒ７の外側に設けられた第２領域Ｒ８とからなる矩形状領域Ｒ６にマトリクス状に配置する。これにより、基板１０４の表面の矩形状領域Ｒ６内に、比較的少ない個数（５×１２＝６０個）のＬＥＤ１３１が配置される第１領域Ｒ７と、比較的多い個数（６×１２＝７２個）のＬＥＤ１３１が配置される第２領域Ｒ８とを、２４個の壁部材１３２からなる４行６列のマトリクスの行方向（Ｘ方向：左右方向）に沿って容易に設けることができる。
【００７８】
また、第２実施形態では、上記のように、第１領域Ｒ７を、長方形からなる矩形状領域Ｒ６の長辺の延びる方向（Ｘ方向：左右方向）に沿って延びるように設けるとともに、第２領域Ｒ８を、矩形状領域Ｒ６の短辺の延びる方向（Ｙ方向：上下方向）の両側から第１領域Ｒ７を挟み込むとともに左右方向に沿って延びるように設ける。そして、第１領域Ｒ７の左右方向の端部における上下方向の中央部と、カバーレンズ１０２との間の左右方向の距離Ｄ３（図８参照）を、第２領域Ｒ８の上下方向の端部における左右方向の中央部と、カバーレンズ１０２との間の上下方向の距離Ｄ４（図８参照）よりも短くする。これにより、第２領域Ｒ８に比べて少ない個数のＬＥＤ１３１が配置される第１領域Ｒ７が、カバーレンズ１０２により近い位置に配置されるとともに、第１領域Ｒ７に比べて多い個数のＬＥＤ１３１が配置される第２領域Ｒ８が、カバーレンズ１０２からより離れた位置に配置される。その結果、第１領域Ｒ７に配置されたＬＥＤ１３１からカバーレンズ１０２を介して発せられる光量と、第２領域Ｒ８に配置されたＬＥＤ１３１からカバーレンズ１０２を介して発せられる光量との差を少なくすることができるので、カバーレンズ１０２から発せられる全体の光量の均一化を図ることができる。
【００７９】
また、第２実施形態では、上記のように、基板１０４の中心点Ｏを通り、矩形状領域Ｒ６の長辺方向に延びる中心線Ｌに対して線対称になるように第１領域Ｒ７および第２領域Ｒ８を配置する。これにより、第１領域Ｒ７および第２領域Ｒ８を偏ることなくバランスよく配置することができるので、複数のＬＥＤ１３１から発生する熱が局所的に溜まるのを抑制することができる。
【００８０】
また、第２実施形態では、上記のように、ＬＥＤ１３１に電力を供給する配線パターン１４１を基板１０４の表面に設け、矩形状領域Ｒ６の内側から外側に向けて延びるように配線パターン１４１を構成する。これにより、矩形状領域Ｒ６の壁部材に囲まれたＬＥＤ１３１近傍に、配線パターン１４１から発生された熱が溜まるのを抑制して放熱性を向上させることができる。
【００８１】
また、第２実施形態では、上記のように、矩形状領域Ｒ６の短辺方向の外側の第１部分１０４ａと矩形状領域Ｒ６の長辺方向の外側の第２部分Ｒ７とを含むように基板１４１を構成するとともに、第１部分Ｒ６よりも広い面積を有するように第２部分Ｒ７を構成し、矩形状領域Ｒ６の内側から第２部分Ｒ７に向けて延びるように配線パターン１４１を構成する。これにより、配線パターン１４１から発生された熱を第２部分Ｒ７のスペースを用いて効率的に放熱させることができる。
【００８２】
また、第２実施形態では、上記のように、基板１０４の壁部材１３２に対応する部分の裏面（矢印Ｚ２方向側の面）に接触する放熱プレート１０５を設ける。これにより、放熱プレート１０５によって、放熱性をより向上させることができる。
【００８３】
また、第２実施形態では、上記のように、４行６列のマトリクス状に配置された２４個の壁部材１３２に取り囲まれた５個または６個のＬＥＤ１３１を、長方形からなる矩形状領域Ｒ６の長辺の延びる方向（Ｘ方向：左右方向）に沿って互いに電気的に並列に接続するとともに、短辺の延びる方向（Ｙ方向：上下方向）に沿って互いに電気的に直列に接続する。これにより、４行６列のマトリクス状に配置された２４個の壁部材１３２に取り囲まれた５個または６個のＬＥＤ１３１を、長方形からなる矩形状領域Ｒ６の長辺および短辺の延びる方向（Ｘ方向およびＹ方向）に沿って容易に電気的に接続することができる。
【００８４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８５】
たとえば、上記第２実施形態では、本発明を照明装置の一例としてのＬＥＤ電球（電球型照明装置）に適用する例を示したが、本発明はこれに限らない。本発明は、電球型照明装置以外の照明装置（たとえば、天井に設置するシーリングライト）にも適用可能である。また、本発明では、ＬＥＤ以外の発光素子を用いてもよい。
【００８６】
また、上記第２実施形態では、第１領域において１個の壁部材に取り囲まれたＬＥＤの個数を６個とし、第２領域において１個の壁部材に取り囲まれたＬＥＤの個数を５個とする例を示したが、本発明はこれに限らない。本発明では、第１領域において壁部材に取り囲まれたＬＥＤの個数よりも、第２領域において壁部材に取り囲まれたＬＥＤの個数の方を多くすればよく、ＬＥＤの個数を上記６個および５個以外の個数としてもよい。
【００８７】
また、上記第２実施形態では、壁部材を、基板の表面の中央部の矩形状領域にマトリクス状に配置する例を示したが、本発明はこれに限らない。本発明では、壁部材を、長円形状を有する基板の表面の全域に渡って配置してもよい。また、本発明では、壁部材をマトリクス状（矩形状）に配置せずに円形状に配置してもよい。
【００８８】
また、上記第２実施形態では、基板の表面の中央部に設けられた左右方向に長い長方形からなる矩形状領域に壁部材を配置する例を示したが、本発明はこれに限らない。本発明では、左右方向の長さと上下方向の長さとが等しい正方形からなる矩形状領域に壁部材を配置してもよい。
【００８９】
また、上記第２実施形態では、第１領域および第２領域を、共に、基板の表面の中央部の長方形からなる矩形状領域の長辺の延びる方向（左右方向）に沿って延びるように形成し、第２領域を、矩形状領域の短辺の延びる方向（上下方向）の外側から第１領域を挟み込むように配置する例を示したが、本発明はこれに限らない。本発明では、第１領域および第２領域を、共に、長方形からなる矩形状領域の短辺の延びる方向（上下方向）に沿って延びるように形成し、第２領域を、矩形状領域の長辺の延びる方向（左右方向）の外側から第１領域を挟み込むように配置してもよい。
【００９０】
また、上記第２実施形態では、壁部材に取り囲まれた５個または６個のＬＥＤを、長方形からなる矩形状領域の長辺の延びる方向に沿って互いに電気的に並列に接続するとともに、短辺の延びる方向に沿って互いに電気的に直列に接続する例を示したが、本発明はこれに限らない。本発明では、壁部材に取り囲まれた５個または６個のＬＥＤを、長方形からなる矩形状領域の短辺の延びる方向に沿って互いに電気的に並列に接続するとともに、長辺の延びる方向に沿って互いに電気的に直列に接続してもよい。
【符号の説明】
【００９１】
２、１０２  カバーレンズ（レンズ部材）
５、５ａ、１０４  基板
７  反射シート
４１，１３１  ＬＥＤ（発光素子）
４２、１３２  壁部材
４２ａ  傾斜面
４３、１３３  封止材
１００、１５０  ＬＥＤ電球（照明装置）
１０４ａ  第１部分
１０４ｂ  第２部分
１０５  放熱プレート（放熱部材）
１４１  配線パターン
Ｒ、Ｒ６  領域（矩形状領域）
Ｒ７  第１領域
Ｒ８  第２領域
【図１】
2014007145.tif 000003
【図２】
2014007145.tif 000004
【図３】
2014007145.tif 000005
【図４】
2014007145.tif 000006
【図５】
2014007145.tif 000007
【図６】
2014007145.tif 000008
【図７】
2014007145.tif 000009
【図８】
2014007145.tif 000010
【図９】
2014007145.tif 000011